(57)【要約】      （修正有）【課題】スイベル動作のロックおよびロック解除をユーザが簡単に行うことのできるスイベル機構およびディスプレイ装置を提供する。【解決手段】スイベル機構は、表示部取付部材２００とスタンド取付部材３００とをスイベル動作可能に連結する。スイベル機構において、ヒンジベース１０１はスタンド取付部材３００に対して取り付けられ、ヒンジプレート１０２は表示部取付部材２００に対して取り付けられ、ヒンジプレート１０２はボルト１０５によってヒンジベース１０１に対して回動可能に軸支される。スイベル動作のサポート部は、ヒンジベース１０１に対して回動不可である第１サポートリング１０３と、ヒンジベース１０１に対して回動可能に取り付けられている第２サポートリング１０４とから構成されており、第２サポートリング１０４を回動させることで、第１サポートリング１０３がボルト１０５の軸方向に移動してヒンジプレート１０２に圧接する。【選択図】図２
2020025222.tif 000002
【特許請求の範囲】
【請求項１】
表示部をスタンドに回動可能に取り付けるスイベル機構であって、
前記スタンドに対して取り付けられるヒンジベースと、
前記表示部に対して取り付けられるヒンジプレートと、
前記ヒンジプレートを前記ヒンジベースに対して所定の回転トルクを与えながら回動可能に軸支する回転軸と、
前記回転軸の周囲、かつ前記ヒンジベースと前記ヒンジプレートとの間に配置されるサポート部とを備えており、
前記サポート部は、
前記ヒンジプレートに対向して配置され、前記回転軸周りにおいて前記ヒンジベースに対して回動不可であると共に、前記回転軸の軸方向に沿って移動可能となるように取り付けられている第１リングと、
前記ヒンジプレートと反対側にて前記第１リングに対向して配置され、前記回転軸周りにおいて前記ヒンジベースに対して回動可能に取り付けられている第２リングとから構成されており、
前記第２リングを回動させることで、前記第１リングと前記ヒンジプレートとの間の隙間が変化し、前記第１リングが前記ヒンジプレートに圧接することを特徴とするスイベル機構。
【請求項２】
請求項１に記載のスイベル機構であって、
前記第１リングおよび前記第２リングの互いの対向面は、円周方向に沿って徐々に厚みが厚くなる傾斜面が形成されており、
前記第２リングを回動させ、前記第１リングと前記第２リングとの円周方向の相対位置を変化させることによって、前記第１リングの傾斜面と前記第２リングの傾斜面との当接位置が変化し、前記第１リングが前記回転軸の軸方向に沿って移動する構成であることを特徴とするスイベル機構。
【請求項３】
請求項１または２に記載のスイベル機構であって、
前記第２リングは、その外周側面に操作用突起部を有していることを特徴とするスイベル機構。
【請求項４】
表示部を、スイベル機構を介してスタンドに回動可能に取り付けてなるディスプレイ装置であって、
前記スイベル機構は、前記請求項１から３の何れか１項に記載のスイベル機構であることを特徴とするディスプレイ装置。
【発明の詳細な説明】
【技術分野】
【０００１】
本発明は、表示部をスタンドに回動可能に取り付けるスイベル機構、およびスイベル機構を有するディスプレイ装置に関する。
【背景技術】
【０００２】
床置き式テレビなどの表示部は、通常、スタンドに取り付けられて床やテレビ台の上に載置できるようになっている。また、スタンドを動かさずに表示部を左右に首振り可能とするための機構として、スイベル機構が一般的に用いられている（例えば、特許文献１）。
【０００３】
特許文献１に開示されたスイベル機構は、ユーザが手動でスイベル動作（首振り動作）を行わせるものであるが、ユーザが力を加えない場合には、スイベル機構内の部材間に作用する摩擦力（回転トルク）によって現状位置が保持される。
【先行技術文献】
【特許文献】
【０００４】
【特許文献１】特開２０１２−９８３９１号公報
【発明の概要】
【発明が解決しようとする課題】
【０００５】
しかしながら、特許文献１に開示されたスイベル機構は、スイベル動作を規制するようなロック機能は有しておらず、常にスイベル動作が可能となっている。テレビなどにおけるスイベル動作が可能であると、子供がテレビを動かして遊び、転倒させたりする虞もある。
【０００６】
本発明は、上記課題に鑑みてなされたものであり、スイベル動作のロックおよびロック解除をユーザが簡単に行うことのできるスイベル機構およびディスプレイ装置を提供することを目的とする。
【課題を解決するための手段】
【０００７】
上記の課題を解決するために、本発明の第１の態様であるスイベル機構は、表示部をスタンドに回動可能に取り付けるスイベル機構であって、前記スタンドに対して取り付けられるヒンジベースと、前記表示部に対して取り付けられるヒンジプレートと、前記ヒンジプレートを前記ヒンジベースに対して所定の回転トルクを与えながら回動可能に軸支する回転軸と、前記回転軸の周囲、かつ前記ヒンジベースと前記ヒンジプレートとの間に配置されるサポート部とを備えており、前記サポート部は、前記ヒンジプレートに対向して配置され、前記回転軸周りにおいて前記ヒンジベースに対して回動不可であると共に、前記回転軸の軸方向に沿って移動可能となるように取り付けられている第１リングと、前記ヒンジプレートと反対側にて前記第１リングに対向して配置され、前記回転軸周りにおいて前記ヒンジベースに対して回動可能に取り付けられている第２リングとから構成されており、前記第２リングを回動させることで、前記第１リングと前記ヒンジプレートとの間の隙間が変化し、前記第１リングが前記ヒンジプレートに圧接することを特徴としている。
【０００８】
上記の構成によれば、サポート部における第２リングを回動させることで、第１リングとヒンジプレートとの間の隙間を変化させ、第１リングをヒンジプレートに圧接させることができる。この時、第１リングとヒンジプレートとの間にはヒンジプレートの回転を阻害する大きな回転トルクが発生し、この回転トルクによってヒンジプレートのスイベル動作を規制するロック状態とすることができる。また、第２リングを逆方向に回動させ、第１リングとヒンジプレートとの圧接を解除すればアンロック状態となるため、第２リングの回動動作のみによってロック／アンロックの切替が容易に行える。
【０００９】
また、上記スイベル機構では、前記第１リングおよび前記第２リングの互いの対向面は、円周方向に沿って徐々に厚みが厚くなる傾斜面が形成されており、前記第２リングを回動させ、前記第１リングと前記第２リングとの円周方向の相対位置を変化させることによって、前記第１リングの傾斜面と前記第２リングの傾斜面との当接位置が変化し、前記第１リングが前記回転軸の軸方向に沿って移動する構成とすることができる。
【００１０】
上記の構成によれば、第１リングおよび第２リングの互いの対向面に傾斜面を設けるといった簡易な構造で、第２リングの回動動作を第１リングの軸方向の移動動作に変換することができる。
【００１１】
また、上記スイベル機構では、前記第２リングは、その外周側面に操作用突起部を有している構成とすることができる。
【００１２】
上記の構成によれば、スイベル機構のロック／アンロックを切り替える際に、ユーザが操作用突起部に指などを掛けて第２リングを容易に回動させることができる。
【００１３】
また、上記の課題を解決するために、本発明の第２の態様であるディスプレイ装置は、表示部を、スイベル機構を介してスタンドに回動可能に取り付けてなるディスプレイ装置であって、上記記載のスイベル機構を用いていることを特徴としている。
【００１４】
上記の構成によれば、スイベル機構をロック状態とすることで、表示部のスイベル動作を規制することができる。
【発明の効果】
【００１５】
本発明のスイベル機構およびディスプレイ装置は、スイベル機構における第２リングの回動動作のみによってロック／アンロックの切替が行え、スイベル動作のロックおよびロック解除をユーザが簡単に行うことができるといった効果を奏する。
【図面の簡単な説明】
【００１６】
【図１】本発明の一実施の形態を示すものであり、スイベル機構を用いて表示部取付部材とスタンド取付部材とを連結した構成を示す斜視図である。
【図２】図１に示す構成の分解斜視図である。
【図３】図１のスイベル機構に使用されるヒンジベースを斜め上から見た斜視図である。
【図４】図１のスイベル機構に使用されるヒンジプレートを斜め上から見た斜視図である。
【図５】図１のスイベル機構に使用される第２サポートリングを斜め上から見た斜視図である。
【図６】図１のスイベル機構に使用される第１サポートリングを斜め下から見た斜視図である。
【図７】図１のスイベル機構を側方から見た模式図であり、（ａ）はアンロック状態、（ｂ）はロック状態を示している。
【発明を実施するための形態】
【００１７】
以下、本発明の実施の形態について、図面を参照して詳細に説明する。図１は、本実施の形態に係るスイベル機構１００を用いて表示部取付部材２００とスタンド取付部材３００とを連結した構成を示す斜視図であり、該構成を斜め下から見た状態を示している。図２は、図１に示す構成の分解斜視図であり、該構成を斜め上から見た状態を示している。
【００１８】
表示部取付部材２００は、テレビやパソコン用ディスプレイなどの表示部（図示せず）に対して固定的に取り付けられる部材である。具体的には、表示部取付部材２００が備える取付板２０１が、ビス等により表示部に固定される。スタンド取付部材３００は、スタンド（図示せず）に対して固定的もしくは変位可能に取り付けられる部材である。すなわち、スタンド取付部材３００は、スタンドに対して固定的に取り付けられていてもよいが、スタンドの間にチルト機構を介して取り付けられていてもよい。スタンド取付部材３００とスタンドとの間にチルト機構を設けた場合には、スイベル機構１００によるスイベル動作に加えて、表示部を上下に角度調整するチルト動作も可能となる。
【００１９】
このように、本実施の形態に係るスイベル機構１００は、表示部取付部材２００を介して表示部に対して取り付けられ、スタンド取付部材３００を介してスタンドに対して取り付けられることで、ディスプレイ装置に対し適用可能となる。尚、本発明が適用可能なディスプレイ装置としては、薄型テレビやパソコン用のモニター装置などが挙げられる。
【００２０】
スイベル機構１００は、図２に示すように、ヒンジベース１０１、ヒンジプレート１０２、第１サポートリング（第１リング）１０３、第２サポートリング（第２リング）１０４、ボルト（回転軸）１０５、座金１０６〜１０９、皿バネ１１０，１１１およびナット１１２を具備して構成されている。
【００２１】
ヒンジベース１０１、第２サポートリング１０４、第１サポートリング１０３およびヒンジプレート１０２は、スタンド取付部材３００側から表示部取付部材２００側へかけてこの順序で積層された４枚のプレート状部材である。また、ヒンジベース１０１およびヒンジプレート１０２は、ボルト１０５を通して連結されており、ヒンジプレート１０２はヒンジベース１０１に対して回動可能とされている。すなわち、ヒンジプレート１０２をヒンジベース１０１に対して回動させることで、スイベル機構１００におけるスイベル動作が可能となる。以下、スイベル機構１００の具体的構成および動作について詳細に説明する。
【００２２】
図３は、ヒンジベース１０１を斜め上から見た斜視図である。ヒンジベース１０１は、スタンド取付部材３００に対してビスなどによって固定的に取り付けられる。また、ヒンジベース１０１には、ボルト１０５を通すためのボルト穴１０１Ａと、ヒンジベース１０１の上面からさらに上方に突出する係合突起１０１Ｂとが設けられている。係合突起１０１Ｂの機能については後述する。
【００２３】
図４は、ヒンジプレート１０２を斜め上から見た斜視図である。ヒンジプレート１０２には、ボルト１０５を通すためのボルト穴１０２Ａが設けられており、ボルト穴１０２Ａの周囲にはボルト１０５の頭部が入り込むための凹部１０２Ｂが設けられている。すなわち、ボルト１０５はヒンジプレート１０２側から挿入されるが、ボルト１０５の頭部が凹部１０２Ｂに入り込むことでヒンジプレート１０２の上面でボルト頭部が突出することを回避できる。また、ヒンジプレート１０２の上面には、表示部取付部材２００がビスなどにより固定的に取り付けられる。
【００２４】
ボルト１０５は、ネジ部断面の形状が円形ではなく、円を対向する２本の平行な弦で切り取った断面形状となっている。また、ヒンジベース１０１におけるボルト穴１０１Ａは円形であるが、ヒンジプレート１０２におけるボルト穴１０２Ａはボルト１０５のネジ部断面に対応する形状となっている。このため、ボルト１０５は、ヒンジベース１０１に対しては回動可能であるが、ヒンジプレート１０２に対しては回動不可である。すなわち、ヒンジプレート１０２をヒンジベース１０１に対して回動させるときには、ボルト１０５はヒンジプレート１０２と一体的に回動する。
【００２５】
ボルト１０５はヒンジプレート１０２の上面側から挿入され、さらにヒンジベース１０１およびスタンド取付部材３００を貫通して、スタンド取付部材３００の下方でナット１１２が締結される。また、ヒンジプレート１０２とヒンジベース１０１との間では座金１０６，１０７がボルト１０５に挿入され、スタンド取付部材３００とナット１１２の間では座金１０８，１０９および皿バネ１１０，１１１がボルト１０５に挿入される。これらの座金１０６〜１０９および皿バネ１１０，１１１は、スイベル機構１００のアンロック時（詳細については後述）におけるヒンジプレート１０２の回転トルクを適切に調整する機能を有する。さらに、ヒンジプレート１０２とヒンジベース１０１との間に配置される座金１０６，１０７は、ヒンジプレート１０２とヒンジベース１０１との軸方向距離を一定に保持する機能も有する。
【００２６】
続いて、第１サポートリング１０３および第２サポートリング１０４からなるサポート部の構成および動作について説明する。スイベル機構１００において、サポート部は以下の２つの役割を有している。
役割（１）：スイベル機構１００のロック／アンロックを切り替える（ロック機能）。スイベル機構１００のロック時にはスイベル動作が規制される。
役割（２）：表示部の揺れを防止する（揺れ防止機能）。
【００２７】
図５は、第２サポートリング１０４を斜め上から見た斜視図である。第２サポートリング１０４は、中央に大きな開口部１０４Ａを有する環状の部材であり、開口部１０４Ａの径はボルト１０５の径よりも十分に大きいものとする。第２サポートリング１０４の上面（第１サポートリング１０３との対向面）には、円周方向に沿って徐々に厚みが厚くなる傾斜面１０４Ｂが形成されている。傾斜面１０４Ｂは、互いの中心角が等しくなるような複数の領域（図５では６つの領域）に分割して形成されていることが好ましい。尚、第２サポートリング１０４の下面（ヒンジベース１０１との接触面）は、平坦面であってよい。
【００２８】
第２サポートリング１０４の外周の一部には、第２サポートリング１０４の外周側面からさらに外方に突出する操作用突起部１０４Ｃと、円周方向に所定の幅を有する切欠き部１０４Ｄが形成されている。詳細な動作は後述するが、スイベル機構１００においては第２サポートリング１０４を回動させることでロック／アンロックの切り替えが行える。スイベル機構１００のロック／アンロックを切り替える際には、ユーザが操作用突起部１０４Ｃに指などを掛けて第２サポートリング１０４を容易に回動させることができる。
【００２９】
切欠き部１０４Ｄは、ヒンジベース１０１に設けられた係合突起１０１Ｂとの係合により、第２サポートリング１０４の回動範囲を規定する。すなわち、切欠き部１０４Ｄにおける円周方向の幅は、係合突起１０１Ｂにおける円周方向の幅よりも大きく設定されており、係合突起１０１Ｂが切欠き部１０４Ｄの内側に位置する範囲内で第２サポートリング１０４はヒンジベース１０１に対して回動可能となる。そして、第２サポートリング１０４は、その回動範囲の一方の端部でスイベル機構１００をアンロック状態とし、他方の端部でスイベル機構１００をロック状態とする。本実施の形態における構成例では、第２サポートリング１０４を反時計方向に回動させ、係合突起１０１Ｂが切欠き部１０４Ｄの一方の端部に当接したときにスイベル機構１００がアンロック状態となる。一方、第２サポートリング１０４を時計方向に回動させ、係合突起１０１Ｂが切欠き部１０４Ｄの他方の端部に当接したときにスイベル機構１００がロック状態となる。
【００３０】
図６は、第１サポートリング１０３を斜め下から見た斜視図である。第１サポートリング１０３は、中央に大きな開口部１０３Ａを有する環状の部材であり、開口部１０３Ａの径は第２サポートリング１０４における開口部１０４Ａと同じとされる。第１サポートリング１０３の下面（第２サポートリング１０４との対向面）には、円周方向に沿って徐々に厚みが厚くなる傾斜面１０３Ｂが形成されている。傾斜面１０３Ｂは、第２サポートリング１０４の傾斜面１０４Ｂと同様に、互いの中心角が等しくなるような複数の領域（図６では６つの領域）に分割して形成されていることが好ましい。この場合の傾斜面１０３Ｂの分割数は、第２サポートリング１０４の傾斜面１０４Ｂの分割数と同数とされる。尚、第１サポートリング１０３の上面（ヒンジプレート１０２との対向面）は、平坦面であってよい。
【００３１】
第１サポートリング１０３においては、開口部１０３Ａの内周面と接するように複数（図６では３本）の係合ピン１０３Ｃが設けられる。これらの係合ピン１０３Ｃは、第１サポートリング１０３の下面よりもさらに下方に突出するように形成されており、ヒンジベース１０１の上面に形成される係合穴１０１Ｃ（図３参照）に挿入され、第１サポートリング１０３のヒンジベース１０１に対する回動を規制する（不可とする）。但し、第１サポートリング１０３は、ボルト１０５の回転軸方向に沿った移動は許容される。また、これらの係合ピン１０３Ｃは、第２サポートリング１０４における開口部１０４Ａの内周面にも接触する。そのため、第２サポートリング１０４の回動は係合ピン１０３Ｃによって内周規制され、第２サポートリング１０４はブレなく回動することができる。第２サポートリング１０４をブレなく回動させるためには、係合ピン１０３Ｃは３本以上であることが望ましい。
【００３２】
尚、第２サポートリング１０４の回動における回転軸は、スイベル機構１００のサポート部による揺れ防止機能を向上させるために、ヒンジプレート１０２の回転軸と一致させることが好ましい。但し、本実施の形態において、第２サポートリング１０４の回転軸とヒンジプレート１０２の回転軸とを一致させることは必須ではなく、これらの回転軸は多少ずれていてもよい。
【００３３】
第１サポートリング１０３の外周の一部には、円周方向に所定の幅を有する切欠き部１０３Ｄが形成されていてもよい。すなわち、切欠き部１０３Ｄにおける円周方向の幅を、係合突起１０１Ｂにおける円周方向の幅と同じとし、切欠き部１０３Ｄに係合突起１０１Ｂを係合させることで、第１サポートリング１０３の回動規制をサポートすることができる。但し、第１サポートリング１０３の回動が係合ピン１０３Ｃのみで十分に規制できるのであれば、係合突起１０１Ｂの高さを第２サポートリング１０４の上面よりも低くすることで切欠き部１０３Ｄを省略することも可能である。
【００３４】
続いて、スイベル機構１００におけるロック／アンロックの切替動作について説明する。図７はスイベル機構１００を側方から見た模式図であり、（ａ）はアンロック状態、（ｂ）はロック状態を示している。
【００３５】
スイベル機構１００のサポート部では、上述したように、第１サポートリング１０３および第２サポートリング１０４の互いの対向面において、円周方向に沿って徐々に厚みが厚くなる傾斜面１０３Ｂおよび傾斜面１０４Ｂがそれぞれ形成されている。そして、図７（ａ）に示すアンロック状態では、傾斜面１０３Ｂにおける厚みの小さい箇所と傾斜面１０４Ｂにおける厚みの大きい箇所とが対向し、傾斜面１０３Ｂにおける厚みの大きい箇所と傾斜面１０４Ｂにおける厚みの小さい箇所とが対向する。この時、第１サポートリング１０３と第２サポートリング１０４との合計の厚みが最も小さい状態となり、第１サポートリング１０３とヒンジプレート１０２との間には僅かな隙間（０．１ｍｍ程度）が生じる。
【００３６】
このようなアンロック状態では、第１サポートリング１０３とヒンジプレート１０２との間に隙間が生じていることにより、第１サポートリング１０３とヒンジプレート１０２との間にヒンジプレート１０２の回転を阻害するような回転トルクは発生せず、容易にヒンジプレート１０２のスイベル動作が可能となる。
【００３７】
尚、第１サポートリング１０３とヒンジプレート１０２との間に隙間が生じている場合、スイベル機構１００に接続される表示部は、基本的にはボルト１０５を支持軸として保持される。しかしながら、通常、ボルト１０５は、表示部の揺れを防止しながら保持するには細すぎるものである。但し、第１サポートリング１０３とヒンジプレート１０２との間の隙間は僅かであるため、表示部の微小な揺れが生じた場合でも、ヒンジプレート１０２の下面が第１サポートリング１０３の上面と当接することで大きな揺れとなることを防止できる。これにより、スイベル機構１００におけるサポート部は、上述した揺れ防止機能を得ることができる。
【００３８】
次に、図７（ｂ）に示すロック状態では、第２サポートリング１０４をアンロック状態から回動させ、第１サポートリング１０３と第２サポートリング１０４との円周方向の相対位置を変化させることによって、傾斜面１０３Ｂと傾斜面１０４Ｂとの当接位置が変化し、第１サポートリング１０３と第２サポートリング１０４との合計の厚みが変化する。具体的には、傾斜面１０３Ｂにおける厚みの大きい箇所と傾斜面１０４Ｂにおける厚みの大きい箇所同士が対向し、この時、第１サポートリング１０３と第２サポートリング１０４との合計の厚みが最も大きい状態となる。その結果、第１サポートリング１０３とヒンジプレート１０２との間の隙間が無くなり、第１サポートリング１０３がヒンジプレート１０２に圧接される状態となる。
【００３９】
このように第１サポートリング１０３がヒンジプレート１０２に圧接されるロック状態では、ヒンジプレート１０２のスイベル動作を行おうとする場合に、第１サポートリング１０３とヒンジプレート１０２との間に大きな回転トルクが発生する。この回転トルクは、ヒンジプレート１０２の回転を阻害するものであり、実質的にヒンジプレート１０２のスイベル動作を規制するロック状態となる。尚、ロック状態のスイベル機構１００においても、第１サポートリング１０３とヒンジプレート１０２との接触により、上述の揺れ防止機能が得られるものである。
【００４０】
以上のように、本実施の形態に係るスイベル機構１００では、第２サポートリング１０４の回動動作のみによってロック／アンロックの切替が行える。すなわち、スイベル動作のロックおよびロック解除をユーザが簡単に行うことができる。
【００４１】
また、スイベル機構１００のロック状態は、第１サポートリング１０３をヒンジプレート１０２に圧接させ、第１サポートリング１０３とヒンジプレート１０２との間に大きな回転トルクを発生させることで達成されるものである。この場合、ヒンジプレート１０２に上記回転トルクよりも過大な力がかかったとしても、第１サポートリング１０３とヒンジプレート１０２との間でスリップが生じるのみであって、スイベル機構１００に破損が生じることは無い。
【００４２】
今回開示した実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００４３】
１００    スイベル機構
１０１    ヒンジベース
１０１Ａ    ボルト穴
１０１Ｂ    係合突起
１０２    ヒンジプレート
１０２Ａ    ボルト穴
１０２Ｂ    凹部
１０３    第１サポートリング（第１リング）
１０３Ａ    開口部
１０３Ｂ    傾斜面
１０３Ｃ    係合ピン
１０３Ｄ    切欠き部
１０４    第２サポートリング（第２リング）
１０４Ａ    開口部
１０４Ｂ    傾斜面
１０４Ｃ    操作用突起部
１０４Ｄ    切欠き部
１０５    ボルト（回転軸）
１０６〜１０９    座金
１１０，１１１    皿バネ
１１２    ナット
２００    表示部取付部材
３００    スタンド取付部材
【図１】
2020025222.tif 000003
【図２】
2020025222.tif 000004
【図３】
2020025222.tif 000005
【図４】
2020025222.tif 000006
【図５】
2020025222.tif 000007
【図６】
2020025222.tif 000008
【図７】
2020025222.tif 000009